(57)【特許請求の範囲】
【請求項１】
装置が有する内部メモリと装置に対して着脱可能な外部メモリとのいずれか一方の所定領域にのみアクセスするブラウザを搭載したブラウザ搭載装置において、
外部からの指示によって、前記内部メモリの所定領域へのアクセス要求があった場合は、要求された前記内部メモリの所定領域を指定するＵＲＩに、ＵＲＩ記述において使用されない禁則文字、又は前記禁則文字を含んだ文字列である特殊文字列を挿入したＵＲＩを前記ブラウザへ供給し、外部からの指示によって、前記外部メモリの所定領域へのアクセス要求があった場合は、要求された前記外部メモリの所定領域を指定するＵＲＩを前記ブラウザへ供給する制御手段と、
前記制御手段から前記ブラウザへ供給された前記ＵＲＩに前記禁則文字又は前記特殊文字列が挿入されているか否かを判別し、供給された前記ＵＲＩに前記禁則文字又は前記特殊文字列が挿入されていると判別した場合は、供給された前記ＵＲＩから前記禁則文字又は前記特殊文字列を削除したＵＲＩを生成し、供給された前記ＵＲＩに前記禁則文字又は前記特殊文字列が挿入されていないと判別した場合は、供給された前記ＵＲＩに、前記ブラウザのアクセス先を外部メモリとするための外部アクセス用文字列を挿入したＵＲＩを生成し、この生成したＵＲＩをブラウザへ供給するＵＲＩ判別手段と、
を設け、
前記ブラウザは、前記制御手段から供給されたＵＲＩを前記ＵＲＩ判別手段に供給し、このＵＲＩ判別手段で生成されて再度供給されたＵＲＩを用いて、このＵＲＩが指定する前記内部メモリ又は前記外部メモリのそれぞれの所定領域にアクセスし、このそれぞれの所定領域に記憶されている各データコンテンツの内容提示及び前記それぞれの所定領域への所定データの書き込みを行なう、
ことを特徴とするブラウザ搭載装置。
【発明の詳細な説明】
【技術分野】
【０００１】
本発明は、インターネットコンテンツやデータ放送コンテンツの視聴を可能とするブラウザを搭載したブラウザ搭載装置に関するものである。
【背景技術】
【０００２】
ブラウザを搭載した装置の代表的なものとして、インターネットと接続し、ｗｅｂブラウザによってインターネットコンテンツの視聴を可能とするインターネット対応ブラウザ搭載型テレビ受信機が既に存在する。またデータ放送を受信し、ＢＭＬブラウザなどに代表されるデータ放送用ブラウザによってデータ放送コンテンツの視聴を可能とするデータ放送用ブラウザ搭載型テレビ受信機も存在する。更にはこれらｗｅｂブラウザやデータ放送用ブラウザの機能を統合して、インターネットコンテンツもデータ放送コンテンツも視聴可能な統合ブラウザを搭載したブラウザ搭載型テレビ受信機も出現してきている。
【０００３】
また、上記に加えて、カード型フラッシュメモリなどの着脱自在な大容量の外部メモリ(以下外部メモリと呼ぶ)とのインターフェース機能を有したブラウザ搭載型テレビ受信機も存在する。このような機能を備えた受信機では、例えば統合ブラウザ（以下単にブラウザと呼ぶ）によって装置の内部に備えるメモリ（以下内部メモリと呼ぶ）と外部メモリとを区別してアクセスできれば、よりメモリの使用用途が広がってブラウザ機能の向上を図ることが可能となる。
【０００４】
ブラウザからメモリへアクセスする場合、アクセス先のメモリの指定は例えば＜file：///aaa/a.txt＞のような形式で記述するＵＲＩ（Uniform Resource Identifier）を用いて行なうのが一般的である。
【０００５】
また、外部メモリへのアクセスは、外部メモリを内部メモリとソフトウエア的に結合するための処理であるマウント処理を予め行っておくことで可能となる。そして、アクセス時に、本来のアクセス先のＵＲＩである＜file：///aaa/a.txt＞の中に＜file：///link/aaa/a.txt＞のように"link"という文字列を挿入してアクセス先を指定することで外部メモリへのアクセスを実現する。
【０００６】
ブラウザからメモリへアクセスするパターンは２通りある。外部から直接ブラウザに対してメモリ内のデータコンテンツへのＵＲＩが指定される場合と、ブラウザが読み込んだインターネットコンテンツのＨＴＭＬ言語やデータ放送コンテンツのＢＭＬ言語によってメモリ内のデータコンテンツへのＵＲＩが指定される場合である。
【０００７】
通常の場合、上記でそれぞれ指定されるＵＲＩには、外部メモリへのアクセスを実現するための"link"という文字列は挿入されていない。
従ってブラウザとしては、内部メモリへのアクセスのみしかできなかった。指定されたＵＲＩにブラウザ自身が常に"link"を挿入することで、外部メモリへのみアクセスすることもできる。しかし、いずれにしても、ブラウザは内部メモリまたは外部メモリのうちのどちらか一方のメモリにしかアクセスすることができない。そして、ブラウザアクセスできないほうのメモリへは、ブラウザを用いずに、別途用意したインターフェース専用のアプリケーションを用いてアクセスしなければならなかった。
【０００８】
図６は、この従来のブラウザ搭載装置の構成図を示したものである。
制御部６０１は、図示していない選局受信機能ブロックやユーザーインターフェース機能ブロックからの種々の制御信号に従ってブラウザ６０２や専用アプリケーション６０３の制御を行なう。
【０００９】
ブラウザ６０２は、上記制御ブロック６０１からの制御指示に従って起動／終了などの制御を受ける。制御ブロック６０１からＵＲＩが指定された場合、又はブラウザが読み込んだインターネットコンテンツのＨＴＭＬ言語やデータ放送コンテンツのＢＭＬ言語でＵＲＩの指定があった場合、そのＵＲＩに対応する内部メモリの所定領域にアクセスして、この所定領域に記録されているコンテンツデータやファイルデータなどの各種データコンテンツを読み込んでデコードし、表示部６０５にデコードした映像を表示する。
【００１０】
専用アプリケーション６０３は、上記制御ブロック６０１からの制御指示に従って起動／終了などの制御を受ける。ＵＲＩが指定された場合は、そのＵＲＩに対応する外部メモリの所定領域にアクセスして、この所定領域に記録されているコンテンツデータやファイルデータなどの各種データコンテンツを読み込んでデコードし、表示部６０５にデコードした映像を表示する。
【００１１】
図６の構成でわかる通り、外部メモリ６０４へは専用アプリケーション６０３との間でのアクセスバスでのみアクセス可能であり、ブラウザ６０２と内部メモリ６０６との間のアクセスバスとは完全に分離させた構成としている。これはブラウザ６０２が制御部６０１からアクセス指示されるメモリ領域が内部メモリの領域なのか外部メモリの領域なのかを区別できないために、このような構成にせざるを得ないからである。
【００１２】
パソコンの技術分野において上記従来例に類似する従来として、例えば特許文献１のような技術が開示されている。これは、クライアントからのアクセス要求があったサ−バのアドレス情報とサ−バ識別情報との組み合わせを管理するテ−ブルを有し、転送する要求の情報付帯オブジエクトＩＤに含まれるサ−バ識別情報に対応するサ−バのアドレス情報を、そのテ−ブルを参照して求め、そのアドレス情報に基づいて要求の転送先を決定する、というものである。
【特許文献１】特開２００３−２０３０２９号公報
【発明の開示】
【発明が解決しようとする課題】
【００１３】
上記したように従来のブラウザ搭載装置においては、ブラウザ６０２がアクセスする先のメモリが内部メモリ６０６なのか外部メモリ６０４なのかを区別することができない為に、ブラウザ６０２は内部メモリ６０６または外部メモリ６０４どちらか一方のメモリにしかアクセスすることができない。そして、アクセスできないほうのメモリへのアクセスは、ブラウザを用いずに、別途用意したインターフェース専用のアプリケーションを用いて行なわなければならなかった。
【００１４】
従って、制御部６０１は、アクセス先のメモリが内部メモリなのか外部メモリなのかによってブラウザ６０２と専用アプリケーション６０３を切り替えて制御を行なわなければならないために、メモリアクセスの制御処理が煩雑となっていた。
【００１５】
また、外部メモリアクセス用の専用アプリケーション６０３が必要なので、このアプリケーションを搭載するためのコストがかかるという課題があった。
本発明は上記課題を鑑みてなされたものである。
【００１６】
本発明は、ブラウザがアクセスすべきアクセス先が外部メモリであるのか内部メモリであるのかを判別する手段を設けることで、ブラウザによって外部メモリと内部メモリの両方にアクセスを可能とし、メモリアクセスの制御処理を簡単にすることが可能なブラウザ搭載装置を提供することを目的とする。
【００１７】
また、専用アプリケーションを必要としないコストダウンの図れるブラウザ搭載装置を提供することを目的とずる。
【課題を解決するための手段】
【００１８】
そこで上記課題を解決するために、本発明は、以下の装置を提供するものである。
（１）装置が有する内部メモリと装置に対して着脱可能な外部メモリとのいずれか一方の所定領域にのみアクセスするブラウザを搭載したブラウザ搭載装置において、
外部からの指示によって、前記内部メモリの所定領域へのアクセス要求があった場合は、要求された前記内部メモリの所定領域を指定するＵＲＩに、ＵＲＩ記述において使用されない禁則文字、又は前記禁則文字を含んだ文字列である特殊文字列を挿入したＵＲＩを前記ブラウザへ供給し、外部からの指示によって、前記外部メモリの所定領域へのアクセス要求があった場合は、要求された前記外部メモリの所定領域を指定するＵＲＩを前記ブラウザへ供給する制御手段と、
前記制御手段から前記ブラウザへ供給された前記ＵＲＩに前記禁則文字又は前記特殊文字列が挿入されているか否かを判別し、供給された前記ＵＲＩに前記禁則文字又は前記特殊文字列が挿入されていると判別した場合は、供給された前記ＵＲＩから前記禁則文字又は前記特殊文字列を削除したＵＲＩを生成し、供給された前記ＵＲＩに前記禁則文字又は前記特殊文字列が挿入されていないと判別した場合は、供給された前記ＵＲＩに、前記ブラウザのアクセス先を外部メモリとするための外部アクセス用文字列を挿入したＵＲＩを生成し、この生成したＵＲＩをブラウザへ供給するＵＲＩ判別手段と、
を設け、
前記ブラウザは、前記制御手段から供給されたＵＲＩを前記ＵＲＩ判別手段に供給し、このＵＲＩ判別手段で生成されて再度供給されたＵＲＩを用いて、このＵＲＩが指定する前記内部メモリ又は前記外部メモリのそれぞれの所定領域にアクセスし、このそれぞれの所定領域に記憶されている各データコンテンツの内容提示及び前記それぞれの所定領域への所定データの書き込みを行なう、
ことを特徴とするブラウザ搭載装置。
【発明の効果】
【００１９】
本発明によれば、ブラウザがアクセスすべきアクセス先が外部メモリであるのか内部メモリであるのかを判別する手段を設けることで、ブラウザによって外部メモリと内部メモリの両方にアクセスを可能とし、メモリアクセスの制御処理を簡単にすることが可能となる。
【００２０】
また、専用アプリケーションを必要としないことでコストダウンを図ることが可能となる。
【発明を実施するための最良の形態】
【００２１】
［従来例]
＜従来例の動作フロー＞
発明の実施の形態を説明するにあたり、まず図６で示した従来のブラウザ搭載装置のメモリアクセスの動作フローを説明する。なお、この動作の主体は特に記述がない限りは制御部６０１である。
【００２２】
通常の番組コンテンツを視聴中（ステップＳ５０１）。
上記視聴中に、ユーザ操作による外部入力、又は受信したデータコンテンツの記述によるメモリへのアクセス要因が発生するか否かを監視し、アクセス要因が発生していない（Ｎ）ならばステップＳ５０１へ戻って番組コンテンツの視聴を継続する。アクセス要因が発生した（Ｙ）ならば、ステップＳ５０３へ処理を移行する。
【００２３】
ステップＳ５０３では、アクセス先が外部メモリ６０４なのか否を判別する。判別結果が外部メモリ６０４である（Ｙ）ならば、ステップＳ５０５へ処理を移行する。判別結果が外部メモリ６０４でなく内部メモリ６０６である（Ｎ）ならばステップＳ５０４へ処理を移行する。
【００２４】
ステップＳ５０４では、ブラウザ６０２によって内部メモリへアクセスする。
ステップＳ５０５では、制御対象を専用アプリケーション６０３へ切り替えて、この専用アプリケーション６０３から外部メモリへアクセスする。
【００２５】
ステップＳ５０６では、ステップＳ５０４でアクセスした内部メモリ６０６の内容、又はステップＳ５０５でアクセスした外部メモリ６０４の内容を表示部６０５に表示させる。
【００２６】
以上が従来のブラウザ搭載装置のメモリアクセスの動作フローである。
＜従来例の動作シーケンス＞
次に上記動作フローによる各ブロック間の信号の授受の様子を示す代表的な動作シーケンスを図２〜図４のシーケンス図を用いて説明する。
【００２７】
図２は内部メモリへのアクセスが成功した場合のシーケンス図である。以下にこの場合の動作シーケンスを説明する。
図示していない制御部６０１はブラウザ６０２へアクセス要求２０１を発行する。
【００２８】
アクセス要求２０１を受信したブラウザ６０２は、内部メモリ６０６へアクセス開始要求２０２を発行する。
内部メモリ６０６はアクセス成功通知２０３をブラウザ６０２へ返信する。
【００２９】
ブラウザ６０２はアクセス成功通知２０３を受信したらアクセス先の内容を表示部６０５に表示させるために表示開始要求２０４を表示部６０５に発行する。
図３は内部メモリへのアクセスが失敗した場合のシーケンス図である。以下にこの場合の動作シーケンスを説明する。
【００３０】
図示していない制御部６０１はブラウザ６０２へアクセス要求３０１を発行する。
アクセス要求３０１を受信したブラウザ６０２は、内部メモリ６０６へアクセス開始要求３０２を発行する。
【００３１】
内部メモリ６０６は、ブラウザから指定されたＵＲＩに対応するデータが存在しなかったなどでアクセスが失敗した場合、アクセス失敗通知３０３をブラウザ６０２へ返信する。
【００３２】
ブラウザ６０２はアクセス失敗通知３０３を受信したらエラーメッセージを表示部６０５に表示させるためにエラー表示開始要求３０４を表示部６０５に発行する。
図４は外部メモリへのアクセスが成功した場合のシーケンス図である。以下にこの場合の動作シーケンスを説明する。
【００３３】
図示していない制御部６０１は、外部メモリ６０４へのアクセスの必要が生じたら、ブラウザ６０２に対して行なっていた制御を、専用アプリケーション６０３に対する制御に切り替える。
【００３４】
そして専用アプリケーション６０３にアクセス要求４０１を発行する。
アクセス要求４０１を受信した専用アプリケーション６０３は、外部メモリ６０４へアクセス開始要求４０２を発行する。
【００３５】
外部メモリ６０４はアクセス成功通知４０３を専用アプリケーション６０３へ返信する。
専用アプリケーション６０３はアクセス成功通知４０３を受信したらアクセス先の内容を表示部６０５に表示させるために表示開始要求４０４を表示部６０５に発行する。
【００３６】
以上が、従来のブラウザ搭載装置のメモリアクセスの代表的な動作シーケンスである。
［実施例]
次に本発明の一実施例を説明する。
【００３７】
本実施例は、予め決定した特定データコンテンツのみ内部メモリに記憶しておき、これらのデータコンテンツへのアクセス時は内部メモリへのアクセスとし、これらのデータコンテンツ以外へのアクセス時は全て外部メモリへアクセスするものである。
【００３８】
内部メモリに記憶する特定データコンテンツとしては、例えばテレビの操作方法などを画面に表示する電子マニュアルコンテンツや、特定のインターネットサイトの案内やサイトの使用方法などを画面に表示する電子サイト案内コンテンツなどが挙げられるが、もちろんこれ以外のデータコンテンツでも良い。
【００３９】
このとき、電子マニュアルコンテンツの具来的なＵＲＩは例えば＜file：///aaa/manual.txt＞であり、電子サイト案内コンテンツの具体的なＵＲＩは例えば＜file：///aaa/guide.txt＞であるとする。
【００４０】
そして、外部からブラウザにＵＲＩを指定する場合、これらの内部メモリにアクセスすべき特定データコンテンツのＵＲＩの文字列の中に、通常のＵＲＩでは使用されない禁則文字、例えば、「￥」、「／」、「：」、「，」、「；」、「＊」、「”」、「＜」、「＞」、等を組み合わせた特殊文字列が挿入されたＵＲＩをブラウザへ指定するものとする。具体的には、"＊＊＊"を特殊文字列とした場合、＜file：///＊＊＊/aaa/manual.txt＞や＜file：///＊＊＊/aaa/guide.txt＞等とする。
【００４１】
上記特殊文字列を挿入したスキーム別ＵＲＩの例を以下に示す。
（１）fileスキーム    HYPERLINK "file:///" file：///＊＊＊/aaa/a.txt
（２）httpスキーム   http:// ＊＊＊/aaa/a.html
（３）httpsスキーム  https:// ＊＊＊/aaa/a.html
上記を前提として、以下に、図１の本実施例のブラウザ搭載装置の構成図を用いて本実施例を説明する。
【００４２】
制御部１０１は、図示していない選局受信機能ブロックやユーザーインターフェース機能ブロックからの種々の制御信号に従ってブラウザ１０２の制御を行なう。
ブラウザ１０２は、上記制御ブロック１０１からの制御指示に従って起動／終了などの制御を受ける。制御ブロック１０１からＵＲＩが指定された場合、又はブラウザが読み込んだインターネットコンテンツのＨＴＭＬ言語やデータ放送コンテンツのＢＭＬ言語でＵＲＩの指定があった場合、そのＵＲＩをＵＲＩ判別部１０７に通知する。
【００４３】
ＵＲＩ判別部１０７は、通知されたＵＲＩに上記した特殊文字列が挿入されているか否かを判別する。特殊文字列が挿入されている場合はアクセス先が内部メモリ１０６であると判断し、挿入されている特殊文字列を削除したＵＲＩをブラウザへ返信する。
【００４４】
また、特殊文字列が挿入されていない場合はアクセス先が外部メモリ１０６であると判断し、通知されたＵＲＩに"link”を挿入する。そして、この"link"を挿入したＵＲＩをブラウザへ返信する。具体的には例えば＜file：///aaa/a.txt＞というＵＲＩが通知された場合は、＜file：///link/aaa/a.txt＞のように"link"を挿入して返信する。
【００４５】
ブラウザ１０２は、返信されたＵＲＩに従って内部メモリ１０６又は外部メモリ１０４の所定領域にアクセスして、この所定領域に記録されているコンテンツデータやファイルデータなどの各種データコンテンツを読み込んでデコードし、表示部６０５にデコードした映像を表示する。
【００４６】
なお、上記では各種データコンテンツを読み込む場合のみを説明しているが、必要に応じてこの各種データコンテンツの所定領域にデータを書き込む書き込み処理も行なう。「アクセス」とは、このようにデータの読み込みと書き込みの両方を行なうことを示す。
【００４７】
また、本実施例では外部メモリへのアクセスのためにＵＲＩに"link"を挿入する例を示したが、挿入する文字列は"link"に限らず、装置内で一意に決めた文字列であればどのようなものでも良い。
＜実施例の動作フロー＞
図１で示した本実施例のブラウザ搭載装置のメモリアクセスの動作フローを説明する。なお、この動作の主体は特に記述がない限りは制御部１０１である。
【００４８】
通常の番組コンテンツを視聴中（ステップＳ７０１）。
上記視聴中に、ユーザ操作による外部入力、又は受信したデータコンテンツの記述によるメモリへのアクセス要因が発生するか否かを監視し、アクセス要因が発生していない（Ｎ）ならばステップＳ７０１へ戻って番組コンテンツの視聴を継続する。アクセス要因が発生した（Ｙ）ならば、ステップＳ７０３へ処理を移行する。
【００４９】
ステップＳ７０３では、ＵＲＩ判別部１０７がアクセス先を示すＵＲＩに特殊文字列が挿入されているか否かを判別する。特殊文字列が挿入されている（Ｙ）ならばアクセス先が内部メモリ１０６であると判断し、挿入されている特殊文字列を削除したＵＲＩをブラウザへ返信する。一方、特殊文字列が挿入されていない（Ｎ）ならばアクセス先が外部メモリ１０６であると判断し、通知されたＵＲＩに"link”を挿入したＵＲＩをブラウザへ返信する。
【００５０】
ステップＳ７０５では、ブラウザは返信されたＵＲＩによって内部メモリにアクセスする。
一方、ステップＳ７０７では、ブラウザは返信された"link"が挿入されたＵＲＩによって外部メモリにアクセスする。
【００５１】
ステップＳ７０８では、ステップＳ７０５でアクセスした内部メモリの内容、又はステップＳ７０７でアクセスした外部メモリの内容を表示部１０５に表示させる。
以上が実施例のブラウザ搭載装置のメモリアクセスの動作フローである。
＜実施例の動作シーケンス＞
次に上記動作フローによる各ブロック間の信号の授受の様子を示す代表的な動作シーケンスを図８〜図１０のシーケンス図を用いて説明する。
【００５２】
図８は内部メモリへのアクセスが成功した場合のシーケンス図である。以下にこの場合の動作シーケンスを説明する。
図示していない制御部１０１はブラウザ１０２へアクセス要求８０１を発行する。
【００５３】
アクセス要求８０１を受信したブラウザ１０２は、アクセス要求のあったＵＲＩをＵＲＩ判別通知８０２によってＵＲＩ判別部へ通知する。
ＵＲＩ判別部１０７は、通知されたＵＲＩに特殊文字列が挿入されているか否かを判別する。この場合は、内部メモリ１０６へのアクセスなので特殊文字列が挿入されている。従って、この特殊文字列を削除したＵＲＩを結果通知８０３によってブラウザ１０２へ返信する。
【００５４】
ブラウザ１０２は結果通知８０３によって通知されたＵＲＩによって内部メモリ１０６へアクセス開始要求８０４を発行する。
内部メモリ１０６はアクセス成功通知８０５をブラウザ１０２へ返信する。
【００５５】
ブラウザ１０２はアクセス成功通知８０５を受信したらアクセス先の内部メモリの内容を表示部１０５に表示させるために表示開始要求８０６を表示部１０５に発行する。
図９は外部メモリへのアクセスが成功した場合のシーケンス図である。以下にこの場合の動作シーケンスを説明する。
【００５６】
図示していない制御部１０１はブラウザ１０２へアクセス要求９０１を発行する。
アクセス要求９０１を受信したブラウザ１０２は、アクセス要求のあったＵＲＩをＵＲＩ判別通知９０２によってＵＲＩ判別部へ通知する。
【００５７】
ＵＲＩ判別部１０７は、通知されたＵＲＩに特殊文字列が挿入されているか否かを判別する。この場合は、外部メモリ１０４へのアクセスなので特殊文字列が挿入されていない。従って、通知されたＵＲＩに"link”を挿入し、このＵＲＩを結果通知９０３によってブラウザ１０２へ返信する。
【００５８】
ブラウザ１０２は結果通知９０３によって通知された"link”が挿入されたＵＲＩによって外部メモリ１０４へアクセス開始要求９０４を発行する。
外部メモリ１０４はアクセス成功通知９０５をブラウザ１０２へ返信する。
【００５９】
ブラウザ１０２はアクセス成功通知９０５を受信したらアクセス先の外部メモリの内容を表示部１０５に表示させるために表示開始要求９０６を表示部１０５に発行する。
図９は外部メモリへのアクセスが失敗した場合のシーケンス図である。以下にこの場合の動作シーケンスを説明する。
【００６０】
図示していない制御部１０１はブラウザ１０２へアクセス要求１００１を発行する。
アクセス要求１００１を受信したブラウザ１０２は、アクセス要求のあったＵＲＩをＵＲＩ判別通知１００２によってＵＲＩ判別部へ通知する。
【００６１】
ＵＲＩ判別部１０７は、通知されたＵＲＩに特殊文字列が挿入されているか否かを判別する。この場合は、外部メモリ１０４へのアクセスなので特殊文字列が挿入されていない。従って、通知されたＵＲＩに"link”を挿入し、このＵＲＩを結果通知１００３によってブラウザ１０２へ返信する。
【００６２】
ブラウザ１０２は結果通知１００３によって通知された"link”が挿入されたＵＲＩによって外部メモリ１０４へアクセス開始要求１００４を発行する。
外部メモリ１０４は、ブラウザ１０２から指定されたＵＲＩに対応するデータが存在しない場合や、外部メモリ自体が装着されていなかった場合などの要因でアクセスが失敗した場合、アクセス失敗通知１００５をブラウザ１０２へ返信する。
【００６３】
ブラウザ１０２はアクセス失敗通知１００５を受信したらエラーメッセージを表示部１０５に表示させるためにエラー表示開始要求１００６を表示部６０５に発行する。
以上が、実施例のブラウザ搭載装置のメモリアクセスの代表的な動作シーケンスである。
【００６４】
なお、本発明は、上記したブラウザ搭載装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００６５】
【図１】本発明に係る一実施例の構成図である。
【図２】従来のメモリアクセスの動作シーケンスを示す図である。
【図３】従来のメモリアクセスの動作シーケンスを示す図である。
【図４】従来のメモリアクセスの動作シーケンスを示す図である。
【図５】従来のメモリアクセスの処理の流れを示す図である。
【図６】従来のブラウザ搭載装置の構成図である
【図７】本実施例のメモリアクセスの処理の流れを示す図である。
【図８】本実施例のメモリアクセスの動作シーケンスを示す図である。
【図９】本実施例のメモリアクセスの動作シーケンスを示す図である。
【図１０】本実施例のメモリアクセスの動作シーケンスを示す図である。
【符号の説明】
【００６６】
１０１  制御部
１０２  ブラウザ
１０４  外部メモリ
１０５  表示部
１０６  内部メモリ
１０７  ＵＲＩ判別部
【図１】
0004692368.tif 000002
【図２】
0004692368.tif 000003
【図３】
0004692368.tif 000004
【図４】
0004692368.tif 000005
【図５】
0004692368.tif 000006
【図６】
0004692368.tif 000007
【図７】
0004692368.tif 000008
【図８】
0004692368.tif 000009
【図９】
0004692368.tif 000010
【図１０】
0004692368.tif 000011